(57)【要約】【課題】  血糖値をより高精度に測定できる非侵襲の測定方法及び血糖値計を提供する。【解決手段】  血糖値計１は、血糖値BSLを測定するための測定光Ｌを、血管ＢＶ内で当該血管ＢＶの長さ方向Ｄに伝搬するように照射する照射部２と、照射部２から照射された測定光Ｌが血管ＢＶ内で伝播し、血管ＢＶの外部に出射されたときの光に応じて、血管ＢＶ内の血液に含まれるグルコースの濃度BSLを測定する測定部３とを備える。【選択図】  図１
2015097729.tif 000002
【特許請求の範囲】
【請求項１】
血糖値を測定するための測定光を、血管内で当該血管の長さ方向に伝播させるように照射する照射工程と、
前記照射工程において照射された前記測定光が前記血管内で伝播し、当該血管の外部に出射されたときの光に応じて、当該血管内の血液に含まれるグルコースの濃度を測定する測定工程とを備えることを特徴とする血糖値の測定方法。
【請求項２】
請求項１に記載の血糖値の測定方法において、前記照射工程では、前記血管を押圧して変形させた部位から前記測定光を当該血管の中に入れることを特徴とする血糖値の測定方法。
【請求項３】
請求項１に記載の血糖値の測定方法において、前記照射工程では、前記血管が屈曲している部位から前記測定光を当該血管の中に入れることを特徴とする血糖値の測定方法。
【請求項４】
請求項１〜３のいずれか１項に記載の血糖値の測定方法において、前記測定工程では、前記血管を押圧して変形させた部位から前記測定光が当該血管の外部に出射することを特徴とする血糖値の測定方法。
【請求項５】
請求項１〜３のいずれか１項に記載の血糖値の測定方法において、前記測定工程では、前記血管が屈曲している部位から前記測定光が当該血管の外部に出射することを特徴とする血糖値の測定方法。
【請求項６】
血糖値を測定するための測定光を、血管内で当該血管の長さ方向に伝播させるように照射する照射部と、
前記照射部から照射された前記測定光が前記血管内で伝播し、当該血管の外部に出射されたときの光に応じて、当該血管内の血液に含まれるグルコースの濃度を測定する測定部とを備えることを特徴とする血糖値計。
【発明の詳細な説明】
【技術分野】
【０００１】
本発明は、血糖値を測定する方法及び血糖値計に関する。
【背景技術】
【０００２】
従来、穿刺を伴うような侵襲型の測定装置を用いて血糖値を測定する場合には糖尿病患者の負担が大きいので、当該負担を軽減するための非侵襲による血糖値の測定装置が知られている（例えば、特許文献１参照）。この血糖値の測定装置は、指先に照射された光が当該指先を透過したときの透過光が、血液及び皮下間質液に含まれるグルコースから受けた影響（例えば、透過光がどの程度吸収されているか）を検知することで、血糖値を測定している。
【先行技術文献】
【特許文献】
【０００３】
【特許文献１】特開２００４−３１３５５４号公報
【発明の概要】
【発明が解決しようとする課題】
【０００４】
しかしながら、特許文献１に記載の血糖値の測定装置では、透過光は、指先内の血管を、その幅方向に通過することになり、当該透過光がグルコースによって受ける影響が小さい。このため、血糖値を充分な精度で検知できなかった。
【０００５】
本発明は、以上の点に鑑みてなされたものであり、血糖値をより高精度に測定できる測定方法及び血糖値計を提供することを目的とする。
【課題を解決するための手段】
【０００６】
本発明の血糖値の測定方法は、血糖値を測定するための測定光を、血管内で当該血管の長さ方向に伝播させるように照射する照射工程と、前記照射工程において照射された前記測定光が前記血管内で伝播し、当該血管の外部に出射されたときの光に応じて、当該血管内の血液に含まれるグルコースの濃度を測定する測定工程とを備えることを特徴とする。
【０００７】
本発明の血糖値の測定方法においては、血管の外部に出射された光は、血管の長さ方向に伝搬されている。このため、上記血管の外部に出射された光は、例えば、指先を透過した光に比べて、グルコースによって受けた影響が大きい。従って、上記血管の外部に出射された光に応じて、グルコースの濃度（すなわち、血糖値）を測定することで、より高精度に血糖値を測定できる。
【０００８】
本発明において、前記照射工程では、前記血管を押圧して変形させた部位から前記測定光を当該血管の中に入れることが好ましい。ここで、本発明における血管の中とは、血管の中空部（血液が流れる空間）の事である。
【０００９】
通常、血管の長さ方向に測定光を導光させる場合には、当該血管の内壁において大きな反射率が得られるように、当該導光される測定光は、当該血管の中において当該血管の内壁に大きな入射角で入射することが好ましい。
【００１０】
このため、血管の外部から当該血管の内部に測定光を入れる場合には、当該測定光が血管の中に入っているときに、当該測定光が当該血管の内壁に大きな入射角で入射するような角度となるように、当該測定光は、当該血管の外部から当該血管の外壁に向かって出射される。
【００１１】
上記構成によれば、血管の中において当該血管の内壁に大きな入射角（すなわち、大きな反射率を得られるような入射角）となるような角度で、当該血管の外部から当該血管の外壁に向かって出射された測定光は、当該血管が変形した部位の外壁においては、当該血管の外壁への入射角が小さくなる。
【００１２】
これにより、測定光は、変形している部位の血管の外壁において高い透過率で透過して当該血管の中に入る。更に、測定光は、血管の中に入った後において、当該血管の内壁に対して大きな入射角で入射するので、当該内壁に高い反射率で反射される。これにより、血管の長さ方向に導光される測定光の量を増加できる。
【００１３】
本発明において、前記照射工程では、前記血管が屈曲している部位から前記測定光を当該血管の中に入れることが好ましい。
【００１４】
上記構成によれば、血管の中において当該血管の内壁に大きな入射角（すなわち、大きな反射率を得られるような入射角）となるような角度で、当該血管の外部から当該血管の外壁に向かって出射された測定光は、当該血管が屈曲した部位の外壁においては、当該血管の外壁への入射角が小さくなる。
【００１５】
これにより、測定光は、屈曲している部位の血管の外壁において高い透過率で透過して当該血管の中に入る。更に、測定光は、血管の中に入った後において、当該血管の内壁に対して大きな入射角で入射するので、当該内壁に高い反射率で反射される。これにより、血管の長さ方向に導光される測定光の量を増加できる。
【００１６】
本発明において、前記測定工程では、前記血管を押圧して変形させた部位から前記測定光が当該血管の外部に出射することが好ましい。
【００１７】
血管の長さ方向に導光されている測定光は、基本的には、当該血管の中において当該血管の内壁に比較的大きな入射角で入射して、当該血管の内壁において大きな反射率で反射されている。
【００１８】
上記構成によれば、当該血管の中において当該血管の内壁に比較的大きな入射角（すなわち、大きな反射率を得られるような入射角）で入射している測定光は、血管が変形した部位の内壁においては、当該血管の内壁への入射角が小さくなる。これにより、測定光は、変形している部位の血管の内壁において高い透過率で透過して当該血管の外部に出る。これにより、血管の外部に出る測定光の量を増加させることができる。
【００１９】
本発明において、前記測定工程では、前記血管が屈曲している部位から前記測定光が当該血管の外部に出射することが好ましい。
【００２０】
血管の長さ方向に導光されている測定光は、基本的には、当該血管の中において当該血管の内壁に比較的大きな入射角で入射して、当該血管の内壁において大きな反射率で反射されている。
【００２１】
上記構成によれば、当該血管の中において当該血管の内壁に比較的大きな入射角（すなわち、大きな反射率を得られるような入射角）で入射している測定光は、血管が屈曲した部位の内壁においては、当該血管の内壁への入射角が小さくなる。これにより、測定光は、屈曲している部位の血管の内壁において高い透過率で透過して当該血管の外部に出る。これにより、血管の外部に出る測定光の量を増加させることができる。
【００２２】
本発明の血糖値計は、血糖値を測定するための測定光を、血管内で当該血管の長さ方向に伝播させるように照射する照射部と、前記照射部から照射された前記測定光が前記血管内で伝播し、当該血管の外部に出射されたときの光に応じて、当該血管内の血液に含まれるグルコースの濃度を測定する測定部とを備えることを特徴とする。
【００２３】
本発明の血糖値計においては、血管の外部に出射された光は、血管の長さ方向に伝搬された光である。このため、上記血管の外部に出射された光は、例えば、指先を透過した光に比べて、グルコースによって受けた影響が大きい。従って、測定部が、上記血管の外部に出射された光に応じて、グルコースの濃度（すなわち、血糖値）を測定することで、より高精度に血糖値を測定できる。
【図面の簡単な説明】
【００２４】
【図１】本発明の実施形態の血糖値の測定方法を用いた血糖値計を示す図。
【図２】図１に示した血糖値計の照射部を示す図。
【図３】図１に示した血糖値計の測定部を示す図。
【図４】別の形態の血糖値の測定方法を示す図。
【発明を実施するための形態】
【００２５】
本発明の実施形態の非侵襲による血糖値の測定方法を用いた血糖値計１について、図１を参照して説明する。
【００２６】
血糖値計１は、照射部２と、測定部３とを備える。
【００２７】
照射部２は、血管ＢＶ内において当該血管ＢＶの長さ方向Ｄに伝播されるような測定光Ｌを照射する。この測定光Ｌは、血糖値BSLを測定するための光である。
【００２８】
測定部３は、照射部２から照射された測定光Ｌが血管ＢＶ内で伝播されて、当該血管ＢＶの外部に出射されたときの光に応じて、当該血管ＢＶ内の血液に含まれるグルコースの濃度（すなわち、血糖値）BSLを測定する。
【００２９】
このように、血管ＢＶの外部に出射された光は、血管ＢＶの長さ方向Ｄに伝搬された光である。このため、血管ＢＶの外部に出射された光は、例えば、指先を透過（例えば、指先の爪側から指紋側に透過）した光に比べて、グルコースによって受けた影響が大きい。従って、測定部３が、血管ＢＶの外部に出射された光に応じて、グルコースの濃度（すなわち、血糖値）BSLを算出することで、より高精度に血糖値BSLを測定できる。
【００３０】
また、測定光Ｌを血管ＢＶ内に入れる場合、血管ＢＶを押圧して変形させた部位から測定光Ｌを当該血管ＢＶの中（ここで、本実施形態における血管ＢＶの中とは、血管ＢＶの中空部（血液が流れる空間）の事である）に入れる（図２参照）。
【００３１】
通常、血管ＢＶの長さ方向Ｄに測定光Ｌを導光させる場合には、当該血管ＢＶの内壁において大きな反射率が得られるように、当該導光される測定光Ｌは、当該血管ＢＶの中において当該血管ＢＶの内壁に大きな入射角で入射することが好ましい。
【００３２】
このため、血管ＢＶの外部から当該血管ＢＶの内部に測定光Ｌを入れる場合には、当該測定光Ｌが血管ＢＶの中に入っているときに、当該測定光Ｌが当該血管ＢＶの内壁に大きな入射角で入射するような角度となるように、当該測定光Ｌは、当該血管ＢＶの外部から当該血管ＢＶの外壁に向かって出射される。
【００３３】
このように、血管ＢＶの中において当該血管ＢＶの内壁に大きな入射角（すなわち、大きな反射率を得られるような入射角）となるような角度で、当該血管ＢＶの外部から当該血管ＢＶの外壁に向かって出射された測定光Ｌは、当該血管ＢＶが変形した部位の外壁においては、当該血管ＢＶの外壁への入射角が小さくなる。
【００３４】
これにより、測定光Ｌは、変形している部位の血管ＢＶの外壁において高い透過率で透過して当該血管ＢＶの中に入る。更に、測定光Ｌは、血管ＢＶの中に入った後において、当該血管ＢＶの内壁に対して大きな入射角で入射するので、当該内壁に高い反射率で反射される。これにより、血管ＢＶの長さ方向Ｄに導光される測定光Ｌの量を増加できる。
【００３５】
また、測定光Ｌを血管ＢＶの外部に出す場合、血管ＢＶを変形させた部位から測定光Ｌを当該血管ＢＶの外部に出す（図３参照）。
【００３６】
血管ＢＶの長さ方向Ｄに導光されている測定光Ｌは、基本的には、当該血管ＢＶの中において当該血管ＢＶの内壁に比較的大きな入射角で入射して、当該血管ＢＶの内壁において大きな反射率で反射されている。
【００３７】
上記構成によれば、当該血管ＢＶの中において当該血管ＢＶの内壁に比較的大きな入射角（すなわち、大きな反射率を得られるような入射角）で入射している測定光Ｌは、血管ＢＶが変形した部位の内壁においては、当該血管ＢＶの内壁への入射角が小さくなる。これにより、測定光Ｌは、変形している部位の血管ＢＶの内壁において高い透過率で透過して当該血管ＢＶの外部に出る。これにより、血管ＢＶの外部に出る測定光Ｌの量を増加させることができる。
【００３８】
本願発明においては、上記のように、血管ＢＶの長さ方向Ｄに伝播し、血管ＢＶの外部に出射されたときの光に応じて、血糖値BSLを測定する方法であれば、公知の種々様々な方法を取り得るが、その一例を以下に示す。
【００３９】
以下に示される測定方法は、例えば、国際公開第２００７／０２９６５２号に開示されているように、グルコースの性質がキラリティであることにより生じる円二色性を利用して、測定光Ｌに含まれる左円偏光及び右円偏光の各々の吸光度の違いを検知することで、グルコースの濃度（すなわち、血糖値）BSLを測定する方法である。
【００４０】
上述したように、測定光Ｌは、血管ＢＶの長さ方向Ｄに伝播するように、当該血管ＢＶに導光されるので、測定光Ｌに含まれる左円偏光と右円偏光の各々が、グルコースによって吸光される差（グルコースによって受けた影響）が大きくなる。そして、血管ＢＶから外部に出た測定光Ｌに含まれる左円偏光と右円偏光の各々の強度の差（又は比）と、血管ＢＶ内を伝播した長さとから、血液中のグルコースの濃度（すなわち血糖値）BSLを算出する。
【００４１】
このように、血管ＢＶの長さ方向Ｄに伝播することで、測定光Ｌに含まれる左円偏光と右円偏光の各々の強度の差（又は比）が大きくなる。従って、測定光Ｌに含まれる左円偏光と右円偏光の各々の強度の差（又は比）を高精度に検知できないような検知方法を用いる場合であっても、血管ＢＶの長さ方向Ｄに伝播して当該差（又は比）が大きくなっているので、血糖値BSLを高精度に測定することができる。更に、当該強度の差（又は比）を高精度に検知できなくてもよいので、当該強度の差（又は比）を高精度に検知できるようにするためのコストを削減できる。
【００４２】
ここで、血管ＢＶの長さ方向Ｄに伝播させるときの長さは、「左円偏光及び右円偏光の各々が、グルコースによる吸光の差（例えば、強度の差又は比）を、充分に検知できる程度」、ひいては、「血糖値BSLを適切に測定できる程度」の長さに設定されていればよい（本発明者は、当該長さを、例えば、約10[mm]に設定した）。
【００４３】
以下、実施例の血糖値計１及びそれを用いた血糖値計１の測定方法の詳細について説明する。
【００４４】
血糖値計１の照射部２は、レーザダイオード１１と、分波用光ファイバ１２と、左円偏光板１３と、右円偏光板１４と、合波用光ファイバ１５と、照射側筐体１６とを備える。また、血糖値計１の測定部３は、測定用光ファイバ１７と、測定側筐体１８と、四分の一波長板１９と、ビームスプリッタ２０と、第１フォトダイオード２１と、第２フォトダイオード２２と、制御装置２３とを備える。
【００４５】
まず、照射部２を用いた照射工程について説明する。照射工程では、まず、レーザダイオード１１から出射されたレーザ光が、分波用光ファイバ１２によって等分に分波される。そして、分波された一方の光を左円偏光を出射する左円偏光板１３と、分波された他方の光を右円偏光を出射する右円偏光板１４とを通過させ、左円偏光板１３から出射された左円偏光と右円偏光板１４から出射された右円偏光とが合波用光ファイバ１５によって合波（以下、「測定光」という）Ｌとなり、当該合波用光ファイバ１５の先端に向かって導光される。
【００４６】
合波用光ファイバ１５の先端側は、中空の照射側筐体１６の中空部の先端部まで挿入されている。これにより、合波用光ファイバ１５に導光された測定光Ｌは、合波用光ファイバ１５の先端（ひいては、照射側筐体１６の先端）から出射される。
【００４７】
本実施形態の血糖値計１を用いて測定対象者の血糖値BSLを測定する測定者は、血糖値BSLを測定するときに、照射側筐体１６の先端部によって、測定対象者の皮膚Ｓの上から血管ＢＶを押圧して、当該血管ＢＶを変形させる（図２参照）。これにより、血管ＢＶを変形させた部位によって、血管ＢＶの中に入る測定光Ｌの量を増加させることができる。
【００４８】
詳細には、図２を参照して、合波用光ファイバ１５から出射された測定光Ｌは、血管ＢＶが変形している部位に向かうので、比較的小さな入射角θ１で血管ＢＶの外壁に入射する。図２においては、θ１が「０°」の例を示している。
【００４９】
測定光Ｌの血管ＢＶの外壁への入射角θ１が比較的小さい（図２の例では「０°」）ことより、当該測定光Ｌは、血管ＢＶの外壁において、高い透過率で透過するか、又は殆どの光が反射されずに透過する。これにより、血管ＢＶを変形させた部位によって、血管ＢＶの中に入る測定光Ｌの量を増加させることができる。
【００５０】
このようにして、血管ＢＶの中に入った測定光Ｌは、血管ＢＶ内において、当該血管ＢＶの内壁に比較的大きな入射角θ２，θ３で入射する。これにより、血管ＢＶの中に入った測定光Ｌは、当該血管ＢＶの内壁によって、全反射されるか、又は高い反射率で反射され、当該血管ＢＶの長さ方向Ｄに向かって導光される。
【００５１】
このように、照射工程では、血管ＢＶの外部において、「測定光Ｌが血管ＢＶ内に入っているときに、血管ＢＶの内壁において反射されるような角度」で、血管ＢＶの外壁に対して測定光Ｌを出射したときに、「当該出射された測定光Ｌが、血管ＢＶの外壁を透過する」ように、血管ＢＶが変形している（又は血管ＢＶを押圧して変形させる）。
【００５２】
次に、測定部３を用いた測定工程について説明する。
【００５３】
測定工程では、測定者は、血糖値BSLを測定するときに、測定側筐体１８の先端部によって、測定対象者の皮膚Ｓの上から血管ＢＶを押圧して、当該血管ＢＶを変形させる（図３参照）。これにより、血管ＢＶを変形させた部位によって、血管ＢＶの外部に出る測定光Ｌの量を増加させることができる。
【００５４】
詳細には、図３を参照して、血管ＢＶの長さ方向Ｄに導光された測定光Ｌは、当該血管ＢＶの内壁に大きな入射角（例えば、図３のφ３，φ２）で入射することで、当該血管ＢＶの内壁に大きな反射率で反射されている。そして、血管ＢＶの長さ方向Ｄに導光された測定光Ｌは、血管ＢＶが変形している部位に入射するとき、比較的小さな入射角φ１で血管ＢＶの内壁に入射する。図３においては、φ１が「０°」の例を示している。
【００５５】
測定光Ｌの血管ＢＶの内壁への入射角φ１が比較的小さい（図３の例では「０°」）ことより、当該測定光Ｌは、血管ＢＶの内壁において、高い透過率で透過するか、又は殆どの光が反射されずに透過する。これにより、血管ＢＶを変形させた部位によって、血管ＢＶの外部に出る測定光Ｌの量を増加させることができる。
【００５６】
このように、測定工程において、「測定光Ｌが血管ＢＶ内で伝播（導光）されているときに、当該血管ＢＶの外壁を透過する」ように、血管ＢＶが変形している（又は血管ＢＶを押圧して変形させる）。
【００５７】
そして、血管ＢＶの外部に出た測定光Ｌは、測定部３を構成する測定側筐体１８の中空部に挿入された測定用光ファイバ１７によって導光される。そして、測定用光ファイバ１７に導光された光は、四分の一波長板１９によって、当該光に含まれる左円偏光及び右円偏光が互いに偏光方向が９０°ずれた直線偏光となり、直線偏光用のビームスプリッタ２０によって、「左円偏光に由来の直線偏光」及び「右円偏光に由来の直線偏光」のうち、一方が第１フォトダイオード２１に入射し、他方が第２フォトダイオード２２に入射する。
【００５８】
すなわち、第１フォトダイオード２１及び第２フォトダイオード２２の各々の受光量の差（又は比）が、「測定光Ｌに含まれる左円偏光と右円偏光の各々が、グルコースによって吸光される差（又は比）」、ひいては、「血管ＢＶから外部に出た測定光Ｌに含まれる左円偏光と右円偏光の各々の強度の差（又は比）」を表すこととなる。
【００５９】
このため、制御装置２３（図示しないＣＰＵ，メモリ等を有する電子制御ユニットにより構成されている）は、第１フォトダイオード２１及び第２フォトダイオード２２の受光量から、「血管ＢＶから外部に出た測定光Ｌに含まれる左円偏光と右円偏光の各々の強度の差（又は比）」を算出し、「測定光Ｌが血管ＢＶ内を伝播した長さ方向Ｄの長さ」とから、血液中のグルコースの濃度（すなわち、血糖値）BSLを算出することによって、血糖値BSLを測定している。
【００６０】
なお、本実施形態においては、血管ＢＶを変形させた部位から測定光Ｌを血管ＢＶの中に入れているか又は測定光Ｌを血管ＢＶの外部に出しているが、これに限らず、血管ＢＶが屈曲している部位から測定光Ｌを血管ＢＶの中に入れるか又は測定光Ｌを血管ＢＶの外部に出してもよい。
【００６１】
すなわち、血管ＢＶの中において当該血管ＢＶの内壁に大きな入射角（すなわち、大きな反射率を得られるような入射角）となるような角度で、当該血管ＢＶの外部から当該血管ＢＶの外壁に向かって出射された測定光Ｌは、当該血管ＢＶが屈曲した部位の外壁においては、当該血管ＢＶの外壁への入射角が小さくなる。
【００６２】
これにより、測定光Ｌは、屈曲している部位の血管ＢＶの外壁において高い透過率で透過して当該血管ＢＶの中に入る。更に、測定光Ｌは、血管ＢＶの中に入った後において、当該血管ＢＶの内壁に対して大きな入射角で入射するので、当該内壁に高い反射率で反射される。これにより、血管ＢＶの長さ方向Ｄに導光される測定光Ｌの量を増加できる。
【００６３】
また、血管ＢＶの長さ方向Ｄに導光されている測定光Ｌは、基本的には、当該血管ＢＶの中において当該血管ＢＶの内壁に比較的大きな入射角で入射して、当該血管ＢＶの内壁において大きな反射率で反射されている。
【００６４】
上記構成によれば、当該血管ＢＶの中において当該血管ＢＶの内壁に比較的大きな入射角（すなわち、大きな反射率を得られるような入射角）で入射している測定光Ｌは、血管ＢＶが屈曲した部位の内壁においては、当該血管ＢＶの内壁への入射角が小さくなる。これにより、測定光Ｌは、屈曲している部位の血管ＢＶの内壁において高い透過率で透過して当該血管ＢＶの外部に出る。これにより、血管ＢＶの外部に出る測定光Ｌの量を増加させることができる。
【００６５】
ここで、血管ＢＶが屈曲している部位とは、例えば、図４に示されるように、指の曲げに応じて血管ＢＶも屈曲した部位である。このような部位に測定光Ｌを入射させるか又は出射させることで、本実施形態のように血管ＢＶを変形させた部位に測定光Ｌを入れるか又は血管ＢＶを変形させた部位から当該血管ＢＶの外部に出す場合と同様に、当該血管ＢＶの外壁への入射角が比較的小さくなるので、当該血管ＢＶの外壁において、高い透過率で透過するか、又は殆どの光が反射されずに透過する。
【００６６】
このように、照射工程では、血管ＢＶの外部において、「測定光Ｌが血管ＢＶ内に入っているときに、血管ＢＶの内壁において反射されるような角度」で、血管ＢＶの外壁に対して測定光Ｌを出射したときに、「当該出射された測定光Ｌが、血管ＢＶの外壁を透過する」ように、血管ＢＶが屈曲している。また、測定工程において、「測定光Ｌが血管ＢＶ内で伝播（導光）されているときに、当該血管ＢＶの外壁を透過する」ように、血管ＢＶが屈曲している。
【００６７】
なお、測定光Ｌを血管ＢＶの中に入れる場合及び、測定光Ｌを血管ＢＶの外部に出す場合においては、血管ＢＶを変形させた部位及び血管ＢＶが屈曲している部位のいずれの部位で行うかを、各々独立して任意に選択し得る。
【００６８】
また、測定光Ｌを血管ＢＶの中に入れる部位及び測定光Ｌを血管ＢＶの外部に出す部位は、測定光Ｌの血管ＢＶの内外間の透過率が、血糖値BSLの測定のために充分な透過率となる部位であるならば、血管ＢＶを変形させた部位又は血管ＢＶが屈曲している部位ではなくてもよい。
【００６９】
また、本実施形態においては、血糖値BSLを測定するための測定光Ｌを、血管ＢＶ内において当該血管ＢＶの長さ方向Ｄに伝播させるように照射することを測定者が行っているが、機械的手段によってこのような照射を行うように構成されていてもよい。
【符号の説明】
【００７０】
１…血糖値計、２…照射部、３…測定部、BSL…血糖値、BSL…グルコースの濃度、Ｌ…測定光、ＢＶ…血管、Ｄ…長さ方向。
【図１】
2015097729.tif 000003
【図２】
2015097729.tif 000004
【図３】
2015097729.tif 000005
【図４】
2015097729.tif 000006